(57)【要約】【課題】水と接触したときの膨潤を極めて迅速に行い、また膨潤させて水のうとして用いた場合における耐候性を向上させ、もって充分な実用性を発揮し得る新規な浸水被害防止用水のうを提供する。【解決手段】本発明の水のう１は、通水可能な状態に形成された外部包装体２と、その内部に収納される吸水性ポリマー樹脂Ｐを含む膨潤剤Ｍとを具えて成り、使用時には、この膨潤剤Ｍに水を吸収させることによって、ほぼ外部包装体２の形状になじんだ状態に膨張させ、適宜の重量と体積を有するような状態に形成するものであり、外部包装体２には膨潤剤Ｍとともに、少なくとも膨潤促進作用と、紫外線バリヤー作用とを奏する補助機能剤Ｓを充填するようにしたことを特徴とする。【選択図】　　　図２
2004092224.tif 000002
【特許請求の範囲】
【請求項１】
通水可能な状態に形成された外部包装体と、その内部に収納される吸水性ポリマー樹脂を含む膨潤剤とを具えて成り、
使用時には、この膨潤剤に水を吸収させることによって、ほぼ外部包装体の形状になじんだ状態に膨張させ、適宜の重量と体積を有するような状態に形成して使用する水のうにおいて、
前記外部包装体には、少なくとも膨潤促進作用と、紫外線バリヤー作用とを奏する補助機能剤が、前記膨潤剤とともに充填されることを特徴とする浸水被害防止用水のう。
【請求項２】
前記補助機能剤は、吸水性及び保水性を有するシート状もしくはフラッフパルプ状のセルロースファイバーであることを特徴とする請求項１記載の浸水被害防止用水のう。
【請求項３】
前記膨潤剤及び補助機能剤は、外部包装体とは別個に市場に供給され得ることを特徴とする請求項１または２記載の浸水被害防止用水のう。
【請求項４】
前記外部包装体は、素材がデニム地で形成されるとともに、表面に迷彩模様が施されることを特徴とする請求項１、２または３記載の浸水被害防止用水のう。
【請求項５】
前記膨潤剤は、予め透水可能な個装袋に小分け状態に収納されていることを特徴とする請求項１、２、３または４記載の浸水被害防止用水のう。
【発明の詳細な説明】
【０００１】
【発明の属する技術分野】
本発明は、例えば水害等の異常出水時において、各種建物、構築施設等を浸水から保護する水のうに関するものであって、特にその作業性の向上と、長時間の機能維持を図るようにした新規な浸水被害防止用水のうに係るものである。
【０００２】
【発明の背景】
近時、都市型災害として、集中豪雨等による異常出水と、それに伴う家屋等への浸水被害が増加する傾向にある。このような異常出水に対して、公共施設等では、予め備えられている土砂を土のう等に詰めて、これを積み上げ、浸水を防ぐ手法が主に採られている。しかしながら、このような対応は、土のう用の土砂を常備しておく必要があり、また土砂を袋詰めする充填作業や、完成した土のうを積み上げる設置作業等に多くの人手を要するものであった。このためこのような手法は、個々の家庭では、いかにも非現実的であり、実際に一般家庭で採られる対策としては、浸水の程度が激しい場合には、高台等に避難し、またそこまでの必要がない場合には、家財道具等を屋内の高い場所に移動させる程度の対応が多かった。
【０００３】
ところでこのような家庭レベルでも備蓄を現実的に可能とすること、あるいは公共的な備蓄であっても、迅速に対応できるようにすることを目的として、吸水性ポリマー樹脂を利用し、このものに水分を含ませることにより、一定の重量とカサ（嵩）を得て、上記土のう様機能を奏する水のうが既に提案されている。このような膨潤性水のうは、充填物のストックを特に必要としないこと、未使用状態では水を含んでいないため軽量で搬送が便利であること、使用時には水に浸すだけで水のうとして利用できるため形成作業及び設置作業が簡単に行えること等の点で、相応の評価が得られるものであった。しかしながら、これら従来技術の膨潤性水のうにあっては、専ら吸水性機能が重視された着眼にとどまり、それ以上の実用性を向上するための工夫はほとんどなされていないのが実情であり、例えば膨潤に要する時間が依然として長いことや、膨張後、紫外線破壊ですぐにしぼんでしまうこと等の問題があった。
【０００４】
【開発を試みた技術的課題】
本発明は、このような背景を認識してなされたものであって、水と接触したときの膨潤を極めて迅速に行い、また膨潤させて水のうとして用いた場合における耐候性を向上させ、もって充分な実用性を発揮し得る新規な浸水被害防止用水のうの開発を試みたものである。
【０００５】
【課題を解決するための手段】
すなわち請求項１記載の浸水被害防止用水のうは、通水可能な状態に形成された外部包装体と、その内部に収納される吸水性ポリマー樹脂を含む膨潤剤とを具えて成り、使用時には、この膨潤剤に水を吸収させることによって、ほぼ外部包装体の形状になじんだ状態に膨張させ、適宜の重量と体積を有するような状態に形成して使用する水のうにおいて、前記外部包装体には、少なくとも膨潤促進作用と、紫外線バリヤー作用とを奏する補助機能剤が、前記膨潤剤とともに充填されることを特徴として成るものである。
この発明によれば、外部包装体には膨潤剤（吸水性ポリマー樹脂）とともに、膨潤促進作用、紫外線バリヤー作用等を奏する補助機能剤が詰められるため、水のうを短時間で吸水膨張させ、また一旦膨張した水のうの形状をより長く維持できる。
【０００６】
また請求項２記載の浸水被害防止用水のうは、前記請求項１記載の要件に加え、前記補助機能剤は、吸水性及び保水性を有するシート状もしくはフラッフパルプ状のセルロースファイバーであることを特徴として成るものである。
この発明によれば、水のうを比較的短時間で膨張させ、また一旦膨張した水のうの縮みを防止する補助機能剤の具体的構成を現実のものとする。
【０００７】
また請求項３記載の浸水被害防止用水のうは、前記請求項１または２記載の要件に加え、前記膨潤剤及び補助機能剤は、外部包装体とは別個に市場に供給され得ることを特徴として成るものである。
この発明によれば、膨潤剤や補助機能剤等の内容物を市場に供給する形態が種々採り得る。具体的には、内容物を外部包装体とともに供給する、いわゆるオールインワンタイプはもとより、各地域の自治体や消防団等が既存の土のう用袋を流用する場合に備え、内容物のみで市場に供給する形態も採り得、合理的な対応が採り得る。なお外袋として既存の土のう用袋を使用することで、市場に供給する商品（内容物）の軽量化、低コスト化、保存時の小スペース化等が達成され得るものである。
【０００８】
また請求項４記載の浸水被害防止用水のうは、前記請求項１、２または３記載の要件に加え、前記外部包装体は、素材がデニム地で形成されるとともに、表面に迷彩模様が施されることを特徴として成るものである。
この発明によれば、外表部包装体の素材にデニム地が使用されるため、水のうが丈夫であり高強度となる。なお従来の土のう用の外袋は、ほとんどが麻袋であり、この場合には強度的に弱く、また水から出して二週間程度で腐食するものであった。また外部包装体には、迷彩模様が施されるため、インパクトがあり、目立ち易いので、例えば設置した水のうに人が足を取られて転倒するといった二次災害を防止することができる。
【０００９】
更にまた請求項５記載の浸水被害防止用水のうは、前記請求項１、２、３、または４記載の要件に加え、前記膨潤剤は、予め透水可能な個装袋に小分け状態に収納されていることを特徴として成るものである。
この発明によれば、膨潤剤が個装袋に小分けされているため、例えば外部包装体内の大きさにバリエーションがあるような場合、外部包装体に入れ込む個装袋の数で対応できるめ、膨潤剤個装袋ひいては水のうの生産性を向上させ得る。
【００１０】
【発明の実施の形態】
本発明の浸水被害防止用水のう１は、図１に示すように、予め内部に膨潤剤Ｍ（吸水性ポリマー樹脂Ｐ）を充填しておき、水害時、これを水に浸してゲル化、膨潤させて使用するタイプのものである。このような形態に因み、この浸水被害防止用水のう１は、流れを持たず、水かさが徐々に増してくる水害を防止するのに適したものであり、主として家屋等への浸水を防ぐ、言わば簡易防災用の水のうである。言い換えれば、例えば河川が堤防を決壊させるような激しい流れを持つ水害の場合には、土砂（主に砂）を詰め込んだ比重の大きい土のうであっても、その水流によって押し流される場合があるため、膨潤剤Ｍを充填した本発明の水のう１では、このような流れを有した水害の防止には不向きである。
【００１１】
なお本実施の形態では、水のう１は、吸水前で縦６００±１５ｍｍ、横３２０±１５ｍｍ、高さ８±６ｍｍ程度のものであり、これが吸水によって、ほぼ高さ寸法のみを８０ｍｍ以上に拡大（膨張）させるものである。因みにこの時の水のうの重量は、吸水前が約２８０ｇ程であり、吸水後が約１３．５ｋｇ程である（図８参照）。
【００１２】
以下本発明を図示の実施の形態に基づいて具体的に説明する。なお本発明の浸水被害防止用水のう１を市場に提供するにあたっては、外袋とともにその内部に膨潤剤Ｍを充填して供給する、いわゆるオールインワンタイプはもとより、既に各地域の自治体や水防団等が土のう用の外袋（後述する外部包装体２）をストックしており、これを流用する場合を考慮して、主に内容物である膨潤剤Ｍを外袋なしで提供する外袋不要タイプがあり、それぞれを実施の形態１、２として以下説明する。
【００１３】
（１）実施の形態１
実施の形態１の水のう１は、一例として図２に示すように、通水性を有する外部包装体２と、膨潤剤Ｍである吸水性ポリマー樹脂Ｐを主成分とする膨潤剤梱包袋３とを具えて成るものであり、使用時に、膨潤剤Ｍを水と接触させ、適宜の重量と体積を有する状態に膨張させて玄関等に設置し、家屋等への浸水防止を図るものである。なお本発明においては、外部包装体２には、吸水性ポリマー樹脂Ｐとともに、少なくとも膨潤促進作用と紫外線バリヤー作用を担う補助機能剤Ｓを充填するものであり、例えば上記図２では、補助機能剤Ｓをシート状に形成し、吸水性ポリマー樹脂Ｐ（膨潤剤梱包袋３）を両側から挟むようにして外部包装体２に収容するようにしている。以下、水のう１の各構成部について説明する。
【００１４】
まず外部包装体２について説明する。このものは、水のう１の外表部を構成するものであり、膨潤剤Ｍの膨張形状を最終的に規制する部位である。外部包装体２は、内部に充填した膨潤剤Ｍ（吸水性ポリマー樹脂Ｐ）に水を吸わせる必要上、通水可能な状態に形成されるが、膨潤剤Ｍが吸水によって膨張した後は、外圧が加わっても、吸水した膨潤剤Ｍを外部に滲み出さないように形成される。本実施の形態では、外部包装体２の素材として、丈夫なデニム地（綿布）が適用され、内部に充填された膨潤剤Ｍが使用の前後において漏出しないように完全に密閉される。因みにこの密閉にあたっては、例えば図２に併せて示すように、袋状の外部包装体２に膨潤剤梱包袋３と補助機能剤Ｓとを充填した後、開口端から約３０ｍｍ程度のところを袋閉じ状態に縫合した後、この縫合カ所で折り返し、この折り返した部分の中央付近を再度縫合して、強固な密閉状態を得ることが可能である。
【００１５】
このように本実施の形態では、外部包装体２の素材をデニム地とすることで、水のう１の高強度化を図っている。因みに従来の土のうの外袋（外部包装体２）は、ほとんどが麻袋であり、この場合には水から出して二週間程度で腐食し、また比較的強度が弱いという難点があった。しかしながら、例えば本発明の水のう１を使用するユーザ、例えば水害が予測される地域の自治体や水防団等が、従来の土のう袋を防災倉庫等に保管している場合には、この既存の土のう袋を外部包装体２として使用することが、もちろん可能である（実施の形態２参照）。
【００１６】
また外部包装体２には、一例として図２に示すように、表面に迷彩模様が施され、水のう１を目立ち易くし、水中に没した状態でも目視した人にインパクトを与えるようにしている。これによって、例えば水に漬かった水のう１の近辺を人が歩いても、水のう１につまずいて転倒するというような二次災害を防止できる。逆に言えば、従来の土のうは、水、特に泥やゴミ等で浸水が濁っている場合には、目視し難いものであり、歩行中、人が足を取られて転倒する二次災害を起こすことがあった。
【００１７】
更に外部包装体２の表面には、一例として図２に併せて示すように、凹凸等の滑り止め部２１を形成することが好ましく、実用的には水のうとして使用する際、三段に積み重ねての使用に耐え得る性能を有することが望ましい。もちろん外部包装体２そのものが、例えばゴムネット等、もともと滑り難い材質で形成され、これによって所望の滑り止め効果が得られる場合には、必ずしも凹凸等の滑り止め加工を表面に施す必要はない。
【００１８】
また外部包装体２には、積み重ね状態での使用を考慮して、一例として図３に示すような、連結部２２を形成することが好ましい。ここでの連結部２２は、外部包装体２の高さ部分に鳩目２３を有するように形成され、紐、バンド、ワイヤ等の結束線やＳ字フック（Ｓカン）等をこの鳩目２３に通し、隣合う水のう１同士を連結できるようにしている。これにより、止水のために積み重ねられた水のう１の荷崩れをほぼ完全に防止し得るものである。もちろん連結部２２は、必ずしも外部包装体２の高さ部分に設けられる必要はなく、縦部分、横部分等適宜の場所に形成され得るものである。また水のう１の連結は、必ずしも上下、左右のものをつなぐだけでなく、はすに（斜めに）位置するもの同士を連結することも可能である。
【００１９】
次に膨潤剤梱包袋３について説明する。このものは、主に膨潤剤Ｍ（吸水性ポリマー樹脂Ｐ）を包装したものであり、透水可能な状態に形成される。特に本実施の形態では、膨潤剤梱包袋３そのものに、水溶性の紙袋等が適用され、膨潤剤Ｍ等はこれに充填された後、密閉される。ここで水溶性の紙袋を適用したのは、水との接触によって溶解させることで、膨潤剤Ｍの吸水膨張を阻害しないようにするためであるが、梱包袋としては透水可能であれば不織布等適宜のものが適用できる。なおここでは膨潤剤梱包袋３を一つの袋として図示したが、幾つかの小袋に小分け状態にしておき、これを幾つかまとめて外部包装体２に入れるようにしても構わない。
【００２０】
また膨潤剤Ｍとともに外部包装体２に充填される補助機能剤Ｓは、膨潤剤Ｍの吸水膨潤を補助・強化する膨潤促進機能と、一旦膨張した膨潤剤Ｍを紫外線から保護し、その縮みを防止する紫外線バリヤー機能とを主に有するものであり、以下、これら膨潤剤Ｍと補助機能剤Ｓとについて更に説明する。
【００２１】
膨潤剤Ｍの実質は、上述したように、水を吸収してゲル化・膨潤する、吸水性ポリマー樹脂Ｐであり、例えば最大で約３７０倍程度の膨張倍率を有するものが適用される。また吸水性ポリマー樹脂Ｐは、一般に粉状もしくは粒状を呈するものであり、一種類のものを単独で使用するほか、例えば膨潤速度等が異なる数種類のものを適宜組み合わせて使用することが可能である。更にこのような吸水性ポリマー樹脂Ｐとしては、淡水、海水、汚水、濁水いずれに対しても、これを吸水して膨潤するものの適用が望ましい。
【００２２】
一方、補助機能剤Ｓとしては、本実施の形態ではシート状に形成されたセルロースファイバーＦが適用される。このセルロースファイバーＦは、それ自体でも、吸水性、及び保水性を有し、膨潤剤Ｍの吸水膨張を補助・促進するものである。なおシート状の補助機能剤Ｓ（セルロースファイバーＦ）は、水のう１の表面積に相当するシート面積であり、膨潤剤Ｍは、吸水後の水のう１の内部体積に対して、膨潤剤Ｍの最大膨張倍率（一例として約３７０倍）以下にとどめ、ポリマー特性維持（例えば収縮防止等）に最適な倍率としている。
【００２３】
そして、このように補助機能剤Ｓを膨潤剤Ｍとともに外部包装体２に入れることによって、従来の膨潤性水のう（ゲル化水のう）よりも速く膨潤させることができる。一例として本出願人が行った試験では、先に述べた寸法の２８０ｇの水のう１をプールの水に漬けて、膨張に要する時間と、水のう１の全重量を測定した結果、水のう１は約３分程度の極めて短い時間で目的の約１３．５ｋｇ程度に吸水・膨張する試験データが得られた（図８参照）。因みに本図からは、約２分程度でほぼ目的の１３．５ｋｇ程度に達していることが判る。このように、膨潤が短時間で行えるのは、補助機能剤Ｓ（セルロースファイバーＦ）の介在によって水を外部包装体２に急激に取り込み、膨潤剤Ｍに均一に伝達し、且つパウダー状の膨潤剤Ｍ（吸水性ポリマー樹脂Ｐ）同士の付着ないしは接触が適度に阻止され、吸水性ポリマー樹脂Ｐが容易に水と結び付く状態になっているためと考えられる。もちろんセルロースファイバーＦ自体にも、水を吸い、これを内部に貯留する補助・強化作用があり、このような作用によっても、膨潤速度の向上が図られるものと推測される。
【００２４】
また従来のゲル化水のうは、膨張後、約数時間程度で収縮してしまうのがほとんどであったが、本発明の水のう１は、同条件下において、膨張状態を約数日間、維持させ得ることが、本出願人によって確認されている。これは、上記補助機能剤Ｓが膨張状態の膨潤剤Ｍと共に存在することで、紫外線が適度に遮断され、膨潤剤Ｍに届く紫外線の総量を総合的に減少させているためと考えられる。
そしてこのような膨潤剤Ｍと補助機能剤Ｓとの比率、すなわち同一の外部包装体２に充填される両者の割合は、一例として重量％で膨潤剤Ｍが約８０％、補助機能剤Ｓが約２０％である。
【００２５】
なおこのような膨潤剤Ｍや補助機能剤Ｓとしては、吸水膨張した後、外圧が加わっても、その膨張形状を維持できる性能及び、吸収した水を分離させない性能が要求される。因みに膨張後の水のう１の硬さは、主に膨潤剤Ｍ（吸水性ポリマー樹脂Ｐ）の含有量や質によって調整することができる。もちろんこのような内容物としては、特に使用後の処理を考慮して、土壌改良剤として撒布できるもの、あるいは有害なガス（ダイオキシン、塩素ガス等）を発することなく乾燥焼却できるものが好ましい。
【００２６】
また補助機能剤Ｓには上述した以外の、他の機能を併せ持たせることが可能であり、これには例えば比重調整機能が挙げられる。これは、吸水性ポリマー樹脂Ｐが水を吸って膨潤することに因み、水のう１の比重が小さくなる傾向にあるため、これを調整すべく、砂鉄等の比重調整剤を適宜混入するものである。因みに水のうの自重のみで、これを完全に水中に没入させる場合には、水のうの比重は１よりも大きい数値が要求されるが、あまり重いと作業性が悪くなることが懸念される。また本発明の水のう１では、没入状態の水のうの上に、水に漬かっていない水のうを積んで止水を図る形態を一般に採ることから、水のう１の比重は１程度（水とほぼ同程度）に設定している。
【００２７】
（２）実施の形態２
この形態は、主に水害が予想される地域の自治体や水防団等が、独自に防災倉庫等に土のう用の外袋をストックしている際、これを外部包装体２として流用する場合に好適な形態である。この形態の水のう１は、既存の土のう用袋を外部包装体２として使用するため、例えば図４に示すように、膨潤剤梱包袋３と補助機能剤Ｓを中袋４に収納した状態で供給するものである。中袋４は、一例として図４に併せて示すように、ネット袋４１が適用される。なおこのネット袋４１は、主に吸水膨潤した膨潤剤Ｍの流出を防ぐものであり、外圧に対する強度は既存の土のう用袋に持たせるものである。なお、このような形態は、充填物を土砂か吸水性ポリマー樹脂Ｐか水害状況に応じて選択できる利便性がある。
【００２８】
なお災害（水害）はいつ起こるか分からないので、上述した商品（供給形態によって異なり、主にオールインタイプの水のう１や内容物である膨潤剤Ｍを中心とするもの）は、長期保存性が望まれ、例えば倉庫においての保管中、湿気、空気、日光（紫外線）等による品質劣化が懸念される場合には、アルミ外装パックでこのような商品を真空包装することが可能である。
【００２９】
【他の実施の形態】
本発明は以上述べた実施の形態を一つの基本的な技術思想とするものであるが、更に次のような改変が考えられる。まず先に述べた基本の実施の形態では、補助機能剤Ｓは、シート状に形成されるものであったが、必ずしもこれに限定されるものではなく、例えば綿状に叩解したフラッフパルプ状としても構わない。この場合、補助機能剤Ｓを、膨潤剤Ｍとともに膨潤剤梱包袋３に混入することが可能であり（図５参照）、この際、膨潤剤Ｍが水と接触し易いように、膨潤剤Ｍ同士が強固に付着ないしは密着しないように補助機能剤Ｓを混在させることが好ましい。
【００３０】
また先に述べた実施の形態では、膨潤剤Ｍは主に一つの袋に梱包されるように図示したが、例えば図５に示すように、膨潤剤Ｍは予め複数の小袋（これを膨潤剤小袋３ａとする）に分けておき、小分けされたものを幾つかまとめて外部包装体２に詰めることが可能である。この場合、運搬時等における膨潤剤小袋３ａの偏在を防ぐために、図５に併せて示すように、膨潤剤小袋３ａを幾つかまとめて保持する集合保持体５を用いることが可能である。なお集合保持体５としては、例えば弱化ネット袋５１の適用が可能であり、吸水性ポリマー樹脂の吸水膨張を受けて、はち切れる（裂開し得る）ものが好ましい。これは、集合保持体５によって膨潤剤Ｍの膨張を過度に規制しないためである。
【００３１】
なお複数の膨潤剤小袋３ａを幾つかまとめて外部包装体２に詰める形態は、必ずしも外部包装体２が一定の大きさでない場合、あるいは外部包装体２の大きさに種々のバリエーションが想定される場合、集合保持体５の大きさ（収納数）を適宜変えることで対応でき、便利である。すなわち膨潤剤小袋３ａとしては、常に一定の大きさのものだけを製造すればよく、このため膨潤剤小袋３ａひいては水のうの生産が極めて能率的に行える。因みに弱化ネット袋５１は、種々のサイズのものが市販されているため、この利用が可能である。
【００３２】
もちろんこのような集合保持体５としては、上記弱化ネット袋５１のほか、例えば水溶性の板紙５２を適用し、これに各膨潤剤小袋３ａを水溶性の糊で接着するようにしてもよいし、例えば図６に示すように、各膨潤剤小袋３ａを水溶性の板紙５２に係止させることも可能である。また水溶性の紙を袋状に形成し、これを集合保持体５とし、この中に膨潤剤小袋３ａを入れる形態も可能である。
【００３３】
なお上述した集合保持体５は、膨潤剤小袋３ａを幾つかまとめて入れる場合であっても、必ずしも必須の構成部材ではない。すなわち例えば図７に示すように、各膨潤剤小袋３ａが搬送中等において偏ることがないように、外部包装体２の内側をポケット状に仕切っておき、この中に膨潤剤小袋３ａを入れ込み、集合保持体５を別途用いることがないようにすることが可能である。
【００３４】
更に、先に述べた実施の形態では、主に膨潤剤Ｍを包装した膨潤剤梱包袋３を外部包装体２に入れ込む形態であったが、外部包装体２に直接、膨潤剤Ｍを詰め込むことが可能である。この場合、外部包装体２から膨潤剤Ｍを流出させないことが前提となる。なおこの場合も、充填した膨潤剤Ｍが偏らないように、外部包装体２の内側を幾つかの収納部に区画しておくことが好ましい。
【００３５】
【発明の効果】
本発明によれば、膨潤剤Ｍ（吸水性ポリマー樹脂Ｐ）に加えて、この膨潤を補助・促進する作用、あるいは一旦膨張した吸水性ポリマー樹脂に届く紫外線を減少させ、その収縮を抑制する作用等を担う補助機能剤Ｓが充填されるため、水のう１を短時間で膨張させ、また一旦膨張した水のう１の膨張形状を長時間に渡って維持できる。
【００３６】
また外部包装体２の素材にデニム地を使用することで、水のうを丈夫なものとし高い強度が確保できる。更に外部包装体２の表面に、迷彩模様を施すことで、視る人にインパクトを与え、水のう１自体が目立ち易くなるため、例えば設置した水のう（水に漬かったもの）に人が足を取られて転倒するといった二次災害を防止することができる。
【００３７】
また例えば膨潤剤Ｍや補助機能剤Ｓ等の内容物を、ネット袋４１等に入れて市場に供給できるようにすることで、例えば既存の土のう用袋が既にあり、これを外部包装体２として流用する自治体等がある場合に対応できる。
【００３８】
また、膨潤剤Ｍを予め少量ずつ個装しておく形態を採ることで、例えば外部包装体２の大きさに様々なバリエーションがあるような場合、膨潤剤小袋３ａは常に同じ状態に形成しておき、外部包装体２に入れ込む膨潤剤小袋３ａの数で対応できるため、膨潤剤小装３ａひいては水のう１が能率的に量産できる。
【図面の簡単な説明】
【図１】本発明の水のうを積み上げて建物への浸水を防止している状況を示す斜視図並びに側面図である。
【図２】本発明の水のうの膨張前後の様子と、水のうの各構成部材を併せ示す斜視図である。
【図３】連結部を形成した水のうと、その連結状態を併せ示す斜視図である。
【図４】外部包装体を用いずに膨張剤や補助機能剤等の内容物を市場に供給できるようにした形態を示す斜視図である。
【図５】膨潤剤小袋を集合保持体によって幾つかまとめて外部包装体に入れ込むようにした水のうを示す斜視図である。
【図６】集合保持体を水溶性の板紙で形成した水のうの他の実施の形態を示す斜視図である。
【図７】集合保持体を用いずに、膨潤剤の偏りを防止するようにした他の実施の形態を示す斜視図である。
【図８】膨張前２８０ｇの水のうを水に漬けた際、その膨張時間と全重量との関係を示すグラフである。
【符号の説明】
１　　　水のう（浸水被害防止用水のう）
２　　　外部包装体
３　　　膨潤剤梱包袋
３ａ　　膨潤剤小袋
４　　　中袋
５　　　集合保持体
２１　　滑り止め部
２２　　連結部
２３　　鳩目
４１　　ネット袋
５１　　弱化ネット袋
５２　　水溶性の板紙
Ｆ　　　セルロースファイバー
Ｍ　　　膨潤剤
Ｐ　　　吸水性ポリマー樹脂
Ｓ　　　補助機能剤
【図１】
2004092224.tif 000003
【図２】
2004092224.tif 000004
【図３】
2004092224.tif 000005
【図４】
2004092224.tif 000006
【図５】
2004092224.tif 000007
【図６】
2004092224.tif 000008
【図７】
2004092224.tif 000009
【図８】
2004092224.tif 000010